(57)【要約】【課題】貼付対象範囲内の異なる表面に応じて、好適な貼付性および剥離性を発揮させることができる、貼付材付着体および貼付材の貼り付け方法を提供する。【解決手段】貼付材付着体１００は、表面の一部に付着した付着材１１１を有する被着体１１０と、付着材を覆うとともに、付着材に対して再剥離可能に貼付されたマスキング貼付材１２０と、マスキング貼付材を覆うとともに、マスキング貼付材からはみ出して前記一部と異なる被着体の他の表面に貼付された外装貼付材１３０と、を有し、マスキング貼付材、および外装貼付材のうちの少なくとも一方が、付着材を隠蔽可能である。【選択図】図１
2020192770.tif 000002
【特許請求の範囲】
【請求項１】
表面の一部に付着した付着材を有する被着体と、
前記付着材を覆うとともに、前記付着材に対して再剥離可能に貼付されたマスキング貼付材と、
前記マスキング貼付材を覆うとともに、前記マスキング貼付材からはみ出して前記一部と異なる他の前記表面に貼付された外装貼付材と、を有し、
前記マスキング貼付材、および前記外装貼付材のうちの少なくとも一方が、前記付着材を隠蔽可能である、貼付材付着体。
【請求項２】
前記マスキング貼付材は、前記外装貼付材の剥離とともに剥離可能である、請求項１に記載の貼付材付着体。
【請求項３】
前記マスキング貼付材、および前記外装貼付材の両方が、前記付着材を隠蔽可能である、請求項１または請求項２に記載の貼付材付着体。
【請求項４】
被着体の表面の一部に付着した付着材に対して再剥離可能なマスキング貼付材、および前記マスキング貼付材を覆うことのできる外装貼付材を準備し、
前記マスキング貼付材によって前記付着材を覆うとともに、前記マスキング貼付材を前記付着材に貼付し、その後、
前記外装貼付材によって前記マスキング貼付材を覆うとともに、前記マスキング貼付材からはみ出した前記外装貼付材を、前記一部と異なる他の前記表面に貼付し、
前記マスキング貼付材、および前記外装貼付材のうちの少なくとも一方によって、前記付着材を隠蔽する、貼付材の貼り付け方法。
【発明の詳細な説明】
【技術分野】
【０００１】
本発明は、貼付材付着体および貼付材の貼り付け方法に関する。
【背景技術】
【０００２】
従来、広告宣伝等のため、車両等に、色や文字・画像等が施されたラッピングフィルムを貼付することが行われている（例えば特許文献１）。
【０００３】
また、例えば、イベント等の開催される期間には、その広告宣伝等のため、既存のマーキングフィルムを隠しつつ、その上にラッピングフィルムやマーキングフィルムが貼付されることがあり、イベント等の終了後、それらは剥がして取り除かれる。
【先行技術文献】
【特許文献】
【０００４】
【特許文献１】特開２０１７−５２１４６号公報
【発明の概要】
【発明が解決しようとする課題】
【０００５】
このように、ラッピングフィルムやマーキングフィルム等の貼付材は、既存のマーキングフィルムに貼付されることがあるが、貼付対象範囲内にマーキングフィルム等がある箇所とそれ以外の箇所とが含まれていると、両者で表面状態が異なることから、それぞれで好適な貼付性および剥離性が発揮されることが好ましい。
【０００６】
そこで、本発明は、貼付対象範囲内の異なる表面に応じて、好適な貼付性および剥離性を発揮させることができる、貼付材付着体および貼付材の貼り付け方法を提供することを目的とする。
【課題を解決するための手段】
【０００７】
上記目的を達成するための本発明の貼付材付着体は、表面の一部に付着した付着材を有する被着体と、前記付着材を覆うとともに、前記付着材に対して再剥離可能に貼付されたマスキング貼付材と、前記マスキング貼付材を覆うとともに、前記マスキング貼付材からはみ出して前記一部と異なる他の前記表面に貼付された外装貼付材と、を有し、前記マスキング貼付材、および前記外装貼付材のうちの少なくとも一方が、前記付着材を隠蔽可能である。
【０００８】
上記目的を達成するための本発明の貼付材の貼り付け方法は、被着体の表面の一部に付着した付着材に対して再剥離可能なマスキング貼付材、および前記マスキング貼付材を覆うことのできる外装貼付材を準備し、前記マスキング貼付材によって前記付着材を覆うとともに、前記マスキング貼付材を前記付着材に貼付し、その後、前記外装貼付材によって前記マスキング貼付材を覆うとともに、前記マスキング貼付材からはみ出した前記外装貼付材を、前記一部と異なる他の前記表面に貼付し、前記マスキング貼付材、および前記外装貼付材のうちの少なくとも一方によって、前記付着材を隠蔽する。
【発明の効果】
【０００９】
上記構成を有する発明では、貼付対象範囲内に付着材のある箇所とそれ以外の箇所とが含まれていても、複数の貼付材によって、それら異なる表面に対する貼付性および剥離性を補い合えるため、貼付対象範囲内の異なる表面に応じて、好適な貼付性および剥離性を発揮できる。
【図面の簡単な説明】
【００１０】
【図１】実施形態の貼付材付着体を示す図である。
【図２】被着体に貼り付け前の実施形態のマスキング貼付材および外装貼付材を示す図である。
【図３】マスキング貼付材の貼り付けを示す図である。
【図４】外装貼付材の貼り付けを示す図である。
【図５】不要になったマスキング貼付材および外装貼付材の剥離を示す図である。
【発明を実施するための形態】
【００１１】
以下、添付した図面を参照しつつ、本発明の実施形態を説明する。なお、図面の寸法比率は、説明の都合上誇張されており、実際の比率とは異なる。
【００１２】
図１に示すように、実施形態の貼付材付着体１００は、被着体１１０、マスキング貼付材１２０、および外装貼付材１３０を有する。
【００１３】
被着体１１０は、例えば、バス、タクシー、トラック等の自動車、電車、汽車等であるが、これら車両に限定されず、例えば、航空機、船舶、建築物、広告、看板、交通標識、包装材料等であってもよい。被着体１１０は、表面の一部に付着したマーキングフィルム１１１（付着材）を有する。
【００１４】
本実施形態では、被着体１１０に付着した付着材としてマーキングフィルム１１１を例に挙げているが、付着材は、それとは異なるフィルムまたはシートであってもよいし、あるいは、例えば硬化した塗料からなる塗膜であってもよい。
【００１５】
マーキングフィルム１１１は、例えば広告宣伝や案内または加飾等のため、被着体１１０に元々貼付されており、例えば色や文字・画像等によって構成された情報表示や装飾を含む。また、マーキングフィルム１１１の形状は、特に限定されず、例えば、円や長方形等の単純な幾何学形状であってもよいし、切り文字のように文字の形状であってもよいし、マスコットキャラクターやアニメのキャラクター等をかたどった形状であってもよい。
【００１６】
マーキングフィルム１１１は、例えば、基材層および粘着剤層が積層された構成を有し、基材層が塩化ビニル系樹脂によって形成されている。このようなマーキングフィルム１１１が、例えば、バス、タクシー、トラック等の自動車の車体表面に付けられている場合、被着体１１０である自動車の表面は、マーキングフィルム１１１のある箇所が、塩化ビニル系樹脂であり、それ以外の箇所が、例えば、車体を形成している金属あるいはそこに施されている塗装であり、マーキングフィルム１１１のある箇所とそれ以外の箇所とで、表面が異なる。
【００１７】
ここで、マーキングフィルム１１１の基材層を形成する塩化ビニル系樹脂としては、例えば、ポリ塩化ビニル；エチレン−塩化ビニル共重合体、酢酸ビニル−塩化ビニル共重合体、塩化ビニル−ハロゲン化オレフィン共重合体等の塩化ビニルを主体とする共重合体；ポリ塩化ビニルまたは塩化ビニル共重合体を主体とする共重合体と、その他の樹脂（例えば、ポリエステル樹脂、エポキシ樹脂、アクリル樹脂、酢酸ビニル樹脂、ウレタン樹脂、アクリロニトリル−スチレン−ブタジエン共重合体、部分ケン化ポリビニルアルコールなど）とのブレンド物などが挙げられる。
【００１８】
マスキング貼付材１２０および外装貼付材１３０は、例えば、所定の期間に開催されるイベントやキャンペーン等の期間中に、それらに関する情報を、マーキングフィルム１１１を隠しつつ表示するのに用いられるが、これに限定されず、例えば、被着体１１０の装飾を一時的に変更するのに用いられてもよい。
【００１９】
マスキング貼付材１２０は、フィルムまたはシートであり、基材層１２１および粘着剤層１２２が積層された構成を有する。マスキング貼付材１２０は、マーキングフィルム１１１に対し、粘着剤層１２２を介して貼付されており、また、再剥離可能である（マーキングフィルム１１１を破損させることなく被着体１１０に残しつつ、マスキング貼付材１２０を剥がして元の状態にすることができる）。
【００２０】
マスキング貼付材１２０は、図示した例では、マーキングフィルム１１１よりも大きいが、マーキングフィルム１１１全体を覆うことができれば、マスキング貼付材１２０の大きさや形状は、特に限定されず、マスキング貼付材１２０は、マーキングフィルム１１１と同じ大きさであってもよい。
【００２１】
マスキング貼付材１２０は、無色透明であっても、色を有していてもよい。後者の場合において、マスキング貼付材１２０がどのような色を有するかは、特に限定されない。マスキング貼付材１２０は、基材層１２１および粘着剤層１２２のうちの少なくとも一方に、例えば、アルミニウム等の金属小片、カーボンブラックや酸化チタン等の顔料を含ませることによって、色を付けることができる。
【００２２】
基材層１２１は、どのような材料によって形成されるか特に限定されず、例えば、塩化ビニル系樹脂、オレフィン系樹脂、ウレタン系樹脂、アクリル系樹脂、ゴム成分を含有するアクリルポリオール系樹脂とポリイソシアナート化合物との反応により得られるアクリルウレタン系樹脂等によって形成されてもよく、さらに、例えばポリプロピレン系合成紙等の合成紙によって形成されてもよい。
【００２３】
また、基材層１２１は、必要に応じて、可塑剤、安定剤、滑剤、充填剤、着色剤、加工助剤、紫外線吸収剤、酸化防止剤、帯電防止剤、難撚剤等を適宜に含有してもよい。
【００２４】
粘着剤層１２２は、被着体１１０の表面に対し、マーキングフィルム１１１がある箇所とマーキングフィルム１１１がない箇所とのいずれにおいても粘着力を発揮し、特に前者に対しては良好な粘着力を発揮して貼付性に優れる。また剥離性も良好であり、粘着剤層１２２は、好ましくは、糊残りを生じさることなく全てマーキングフィルム１１１から剥がすことができる。
【００２５】
前段で述べた性質を有するよう調整されるのであれば、粘着剤層１２２の形成材料は、特に限定されず、例えば、アクリル系粘着剤、ウレタン系粘着剤、シリコーン系粘着剤、スチレン系熱可塑性エラストマー、ビニルエーテル共重合体、天然ゴム等であってもよい。
【００２６】
外装貼付材１３０は、フィルムまたはシートであり、マスキング貼付材１２０を覆うとともに、マスキング貼付材１２０からはみ出して、被着体１１０の表面（マーキングフィルム１１１がない表面）に貼付されている。図示した例では、被着体１１０の表面は平らであるが、曲面であってもよい。
【００２７】
外装貼付材１３０は、マスキング貼付材１２０を覆って被着体１１０の表面に貼付できれば、どのような大きさを有するかは特に限定されず、図示した例のように被着体１１０の表面の一部を覆う形態に限定されず、被着体１１０の表面全体を覆ってもよい。また、外装貼付材１３０がどのような形状を有するかも特に限定されず、例えば、円や長方形等の単純な幾何学形状であってもよいし、それ以外の他の形状であってもよい。
【００２８】
外装貼付材１３０は、基材層１３１および粘着剤層１３２が積層された構成を有する。基材層１３１および粘着剤層１３２のうちの少なくとも一方には、色が付されており、有色の外装貼付材１３０は、マーキングフィルム１１１を視認できないように隠蔽する。基材層１３１および粘着剤層１３２のうちの少なくとも一方には、例えば、アルミニウム等の金属小片、カーボンブラックや酸化チタン等の顔料を含ませることによって、色を付けることができる。例えば基材層１３１だけに色を付けてもよいが、基材層１３１に加えて粘着剤層１３２にも色を付けることによって、より隠蔽性を高められる。
【００２９】
基材層１３１は、例えば色や文字・画像等によって構成された情報表示や装飾を含んでいる。これらの情報表示や装飾は、特に限定されないが、基材層１３１に記される情報表示は、例えば、所定の期間に開催されるイベントやキャンペーン等の広告宣伝や案内等に関する。また、基材層１３１に記される情報表示は、例えば、文字や数字だけから構成されてもよいが、これに限定されず、例えば、文字や数字からなる情報表示に、図柄や模様等の装飾が組み合わされてもよい。
【００３０】
基材層１３１に対し、どのようにして情報表示を記したり、装飾を施したりするかは特に限定されず、それらの実現方法として、例えば、印刷によって基材層１３１の面に印刷層を形成してもよいし、基材層１３１自体に色を付けてもよい。印刷方式としては、オンデマンド印刷が可能なこと、および大判印刷が可能なことから、インクジェット印刷が好ましい。
【００３１】
基材層１３１は、どのような材料によって形成されるか特に限定されず、例えば、塩化ビニル系樹脂、オレフィン系樹脂、ウレタン系樹脂、アクリル系樹脂、ゴム成分を含有するアクリルポリオール系樹脂とポリイソシアナート化合物との反応により得られるアクリルウレタン系樹脂等によって形成されてもよく、さらに、例えば、ポリエステル系合成紙、ポリプロピレン系合成紙等の合成紙によって形成されてもよい。
【００３２】
また、基材層１３１は、必要に応じて、可塑剤、安定剤、滑剤、充填剤、着色剤、加工助剤、紫外線吸収剤、酸化防止剤、帯電防止剤、難撚剤等を適宜に含有してもよい。
【００３３】
粘着剤層１３２は、被着体１１０の表面に対し、外装貼付材１３０を保持する粘着力を有しており、特に、被着体１１０の表面のうちマーキングフィルム１１１がない箇所に対しては、マスキング貼付材１２０の粘着剤層１２２よりも、さらに大きな粘着力を発揮し貼付性に優れる。また、粘着剤層１３２は、被着体１１０の表面のうちマーキングフィルム１１１がない箇所に対し、好ましくは、良好な剥離性を有する。
【００３４】
前段で述べた性質を有するよう調整されるのであれば、粘着剤層１３２の形成材料は、特に限定されず、例えば、アクリル系粘着剤、ウレタン系粘着剤、シリコーン系粘着剤、スチレン系熱可塑性エラストマー、ビニルエーテル共重合体、天然ゴム等であってもよい。
【００３５】
次に実施形態の貼付材の貼り付け方法について述べる。
【００３６】
図２に示すように、実施形態の貼付材の貼り付け方法では、別々のマスキング貼付材１２０と外装貼付材１３０とが準備され、これらが被着体１１０に対し、順次貼付されていく。
【００３７】
マスキング貼付材１２０は、使用前、粘着剤層１２２に積層された剥離ライナー１２３を有しており、これを剥がして使用される。剥離ライナー１２３は、例えば、ポリエチレンテレフタレート、ポリブチレンテレフタレート、ポリエチレンナフタレート等のポリエステルフィルム、ポリプロピレンやポリエチレン等のポリオレフィンフィルムなどのプラスチックフィルム；上質紙、グラシン紙、クラフト紙などの紙によって形成されるが、どのような材料によって形成されるかは特に限定されない。剥離ライナー１２３のうち、粘着剤層１２２と接する面には、例えばシリコーンからなる剥離剤層が形成されていてもよい。
【００３８】
マスキング貼付材１２０は、剥離ライナー１２３を剥がすことによって露出する粘着剤層１２２を介して、マーキングフィルム１１１に貼付される。
【００３９】
図３に示すように、マスキング貼付材１２０がマーキングフィルム１１１に対しこれを覆うように貼付された後、外装貼付材１３０が使用される。
【００４０】
外装貼付材１３０は、使用前、粘着剤層１３２に積層された剥離ライナー１３３を有しており、これを剥がして使用される。剥離ライナー１３３は、剥離ライナー１２３と同様の構成を有する。
【００４１】
外装貼付材１３０は、剥離ライナー１３３を剥がすことによって露出する粘着剤層１３２を介して、マスキング貼付材１２０に貼付される。
【００４２】
図４に示すように、外装貼付材１３０は、マスキング貼付材１２０に対しこれを覆うように貼付される。また、外装貼付材１３０のうち、マスキング貼付材１２０からはみ出した部分は、被着体１１０の表面（マーキングフィルム１１１がない表面）に貼付される。
【００４３】
以上のような貼付材の貼り付け方法によって、貼付材付着体１００ができる。貼付材付着体１００は、例えばイベント等の開催に合わせて所定の期間使用され、その後、不要になったマスキング貼付材１２０および外装貼付材１３０を剥がして元の状態に戻される。
【００４４】
図５に示すように、本実施形態では、外装貼付材１３０の剥離とともに、マスキング貼付材１２０も剥がされる。
【００４５】
それらは、外装貼付材１３０、マスキング貼付材１２０の順で、１枚ずつ剥がされてもよいが、本実施形態では、外装貼付材１３０を剥がすと、それと一緒にマスキング貼付材１２０も剥がれる。
【００４６】
次に本実施形態の作用効果を述べる。
【００４７】
本実施形態において、被着体１１０は、図２で示したように、表面の一部にマーキングフィルム１１１を有しており、マーキングフィルム１１１のある表面（表面の一部）と、マーキングフィルム１１１のない表面（前記一部と異なる他の表面）とで、表面の状態が異なる。
【００４８】
それら異なる表面のそれぞれに対し、一種類の貼付材だけでも、良好な貼付性および剥離性を発揮させることは可能であるが、本実施形態では、マスキング貼付材１２０および外装貼付材１３０の二種類の貼付材が用いられ、異なる表面に対する貼付性および剥離性を補い合える。このため、貼付対象範囲内の異なる表面に応じて、より好適な貼付性および剥離性を発揮できる。
【００４９】
本実施形態では、図５で示したように、マスキング貼付材１２０は、外装貼付材１３０の剥離とともに剥離可能であり、これによって、不要になったマスキング貼付材１２０と外装貼付材１３０とは、一度に剥がされ、それらを一枚ずつ剥がす手間が省けるため、作業負担を軽減できる。
【００５０】
マスキング貼付材１２０および外装貼付材１３０は、少なくとも一方が色を有してマーキングフィルム１１１を隠蔽可能であればよいが、それら両方が色を有してマーキングフィルム１１１を隠蔽可能であるようにすれば、マーキングフィルム１１１がより透け難くなるため、マーキングフィルム１１１の隠蔽性を高めることができる。
【００５１】
本発明は、上述した実施形態に限定されるものではなく、特許請求の範囲内で種々改変できる。
【００５２】
例えば、マスキング貼付材および外装貼付材の構成として、上記実施形態では、基材層、粘着剤層、および剥離ライナーがこの順序で積層されてなる積層構造が開示されているが、それら以外の層が積層された構成も本発明の範囲に含まれる。
【００５３】
また、上記実施形態では、外装貼付材１３０が色を有してマーキングフィルム１１１を隠蔽可能であるが、マスキング貼付材１２０および外装貼付材１３０は、それらのうちの少なくとも一方がマーキングフィルム１１１を隠蔽可能であればよく、外装貼付材１３０が無色透明である形態も、本発明の範囲に含まれる。この場合、マスキング貼付材１２０が色を有してマーキングフィルム１１１を隠蔽可能であり、また、基材層１２１に、例えば色や文字・画像等によって構成された情報表示や装飾を含む。マスキング貼付材１２０が有色の形態では、例えば基材層１２１だけに色が付けられていてもよいが、基材層１２１に加えて粘着剤層１２２にも色が付けられることによって、より隠蔽性を高められる。
【符号の説明】
【００５４】
１００    貼付材付着体、
１１０    被着体、
１１１    マーキングフィルム（付着材）、
１２０    マスキング貼付材、
１２１    基材層、
１２２    粘着剤層、
１２３    剥離ライナー、
１３０    外装貼付材、
１３１    基材層、
１３２    粘着剤層、
１３３    剥離ライナー。
【図１】
2020192770.tif 000003
【図２】
2020192770.tif 000004
【図３】
2020192770.tif 000005
【図４】
2020192770.tif 000006
【図５】
2020192770.tif 000007